(57)【特許請求の範囲】
【請求項１】
カラオケ装置の動作に関する複数種類のパラメータを記憶する第１記憶手段と、
カラオケ装置を再起動する再起動手段と、
前記再起動手段により再起動が行われたときに、前記第１記憶手段に記憶されているパラメータの中で、所定の第１種パラメータを初期化する初期化手段と、
前記初期化手段による初期化が行われた後で、前記第１記憶手段に記憶されているパラメータの中で、所定の基準設定値から変更されているパラメータがあるかを判定する判定手段と、
前記判定手段により、前記基準設定値から変更されているパラメータがあると判定された場合、パラメータが変更されていることを報知する報知手段と、
を備えることを特徴とするカラオケ装置。
【請求項２】
請求項１に記載のカラオケ装置において、
前記第１記憶手段に記憶されているパラメータであって、前記第１種パラメータとは異なる所定の第２種パラメータについて、前記カラオケ装置の管理者により設定された基準設定値を記憶する第２記憶手段を更に備え、
前記判定手段は、前記初期化手段による初期化が行われた後で、前記第１記憶手段に記憶されている第２種パラメータの中で、前記第２記憶手段に記憶されている基準設定値から変更されている第２種パラメータがあるかを判定し、
前記報知手段は、前記判定手段により、前記基準設定値から変更されている第２種パラメータがあると判定された場合、前記第２種パラメータが変更されていることを報知すること
を特徴とするカラオケ装置。
【請求項３】
請求項２に記載のカラオケ装置において、
前記報知手段により、前記第２種パラメータが変更されたことが報知された後に、前記第２記憶手段に記憶されている基準設定値に基づいて、前記第１記憶手段に記憶されている第２種パラメータを再設定する再設定手段を更に備えること
を特徴とするカラオケ装置。
【請求項４】
請求項２又は請求項３に記載のカラオケ装置において、
前記第１種パラメータは、前記カラオケ装置の音量に関するパラメータであり、
前記第２種パラメータは、前記カラオケ装置の音質、音響、又は、カラオケ曲のガイドメロディに関するパラメータであること
を特徴とするカラオケ装置。
【請求項５】
請求項２ないし請求項４の何れか１項に記載のカラオケ装置において、
前記第１種パラメータは、前記カラオケ装置の音量に関するパラメータであり、
前記第２種パラメータは、前記カラオケ装置のイルミネーションに関するパラメータであること
を特徴とするカラオケ装置。
【請求項６】
請求項１ないし請求項５の何れか１項に記載のカラオケ装置において、
前記再起動手段は、前記再起動の処理として、前記カラオケ装置におけるユーザのログインに関する情報を記憶したメモリ領域、又は、カラオケ曲の再生予約に関する情報を記憶したメモリ領域の少なくとも何れかを初期化し、
前記初期化手段は、前記再起動手段により再起動が行われたときに、前記第１記憶手段に記憶されている第１種パラメータを初期化すること
を特徴とするカラオケ装置。
【請求項７】
請求項１ないし請求項６の何れか１項に記載のカラオケ装置において、
前記再起動手段は、前記再起動としてソフトリブートを行うこと
を特徴とするカラオケ装置。
【請求項８】
請求項１ないし請求項７の何れか１項に記載のカラオケ装置において、
前記第１記憶手段に記憶されているパラメータを、前記カラオケ装置の使用者が設定するための設定手段を備えること
を特徴とするカラオケ装置。
【発明の詳細な説明】
【技術分野】
【０００１】
本発明は、設定値が変更されたことを報知できるカラオケ装置に関する。
【背景技術】
【０００２】
カラオケ店舗で使用されるカラオケ装置では、ある客による利用が終了したときに、カラオケ店舗のスタッフが再起動の操作を行うことで、その客に関する設定事項をリセットし、次の客の利用に備えるといった運用が行われている。一方、カラオケ装置の動作に関する設定事項には、上述の再起動ではリセットされない設定事項もある。
【０００３】
従来技術として、特許文献１に記載のカラオケ装置がある。特許文献１には、カラオケ装置において設定可能な各種設定事項に対する変更操作に制限をかけるために、特殊操作によって起動するサービスマンモードを用意し、不正な設定変更が行われないようにすることが開示されている。
【先行技術文献】
【特許文献】
【０００４】
【特許文献１】特開２００５−９９５７６号公報
【発明の概要】
【発明が解決しようとする課題】
【０００５】
しかしながら、上述のような従来技術では、例えば、サービスマンモードの起動方法が管理者以外の一般ユーザに知れ渡ってしまった場合、カラオケ装置の設定事項が不正に改変されてしまう可能性がある。その場合、再起動により設定値がリセットされる設定事項であれば、直ぐに初期値に戻せるので再設定をする必要はない。しかし、再起動により値がリセットされない設定事項は、管理者が不正な設定変更に気が付かない限り、不本意な設定値が継続して用いられるおそれがある。
【０００６】
本発明は、上記問題を解決するためになされたものである。その目的は、再起動により初期化される設定事項以外の設定事項が変更されたことを、適切なタイミングで管理者に報知できるようにするための技術を提供することである。
【課題を解決するための手段】
【０００７】
上記目的を達成するためになされた請求項１に記載のカラオケ装置は、第１記憶手段と、再起動手段と、初期化手段と、判定手段と、報知手段とを備える。第１記憶手段は、カラオケ装置の動作に関する複数種類のパラメータを記憶する。再起動手段は、カラオケ装置を再起動する。初期化手段は、再起動手段により再起動が行われたときに、第１記憶手段に記憶されているパラメータの中で、所定の第１種パラメータを初期化する。判定手段は、初期化手段による初期化が行われた後で、第１記憶手段に記憶されているパラメータの中で、所定の基準設定値から変更されているパラメータがあるかを判定する。報知手段は、判定手段により基準設定値から変更されているパラメータがあると判定された場合、パラメータが変更されていることを報知する。
【０００８】
このような構成によれば、カラオケ装置の再起動に伴い第１種パラメータが初期化されたタイミングで、再起動で初期化される第１種パラメータ以外のパラメータに何らかの変更がある場合、その旨をカラオケ装置の使用者に対して報知できる。つまり、カラオケ装置の管理者がカラオケ装置を再起動させると、管理者の意図ではないパラメータの不正な変更がなされていても、すぐに管理者が把握することができる。そのため、カラオケ装置において、不本意な設定値が継続して用いられることを防止できる。
【０００９】
なお、不正な変更の監視対象となるパラメータとしては、カラオケ装置の管理者によって設定されるパラメータが挙げられる。そこで、請求項２に記載のように構成するとよい。すなわち、カラオケ装置は、第１記憶手段に記憶されているパラメータであって、第１種パラメータとは異なる所定の第２種パラメータについて、カラオケ装置の管理者により設定された基準設定値を記憶する第２記憶手段を更に備える。判定手段は、初期化手段による初期化が行われた後で、第１記憶手段に記憶されている第２種パラメータの中で、第２記憶手段に記憶されている基準設定値から変更されている第２種パラメータがあるかを判定する。報知手段は、判定手段により、基準設定値から変更されている第２種パラメータがあると判定された場合、第２種パラメータが変更されていることを報知する。
【００１０】
このような構成によれば、カラオケ装置の管理者により設定された、第２種パラメータの基準設定値を第２記憶手段に記憶することで、この基準設定値に基づいて、第１記憶手段に記憶されている第２種パラメータの変更の有無を判定できる。よって、再起動により初期化される第１種パラメータではない第２種パラメータにおいて、カラオケ装置の管理者の意図ではない不正な変更がなされた場合、それを的確に報知できる。
【００１１】
さらに、変更された第２種パラメータを元の設定値に戻せるようになっているとよい。そこで、請求項３に記載のように構成することが考えられる。すなわち、カラオケ装置は、再設定手段を更に備える。再設定手段は、報知手段により第２種パラメータが変更されたことが報知された後に、第２記憶手段に記憶されている基準設定値に基づいて、第１記憶手段に記憶されている第２種パラメータを再設定する。このような構成によれば、たとえ第２種パラメータにおいて不正な変更がなされたとしても、第２種パラメータを元の設定値に簡単に戻すことができるので便利である。
【００１２】
ところで、カラオケ装置の動作に関するパラメータの具体例としては、請求項４に記載のように、第１種パラメータを、カラオケ装置の音量に関するパラメータとし、第２種パラメータを、カラオケ装置の音質、音響、又は、カラオケ曲のガイドメロディに関するパラメータとすることが考えられる。
【００１３】
再起動時に初期化される第１種パラメータとしての音量に関するパラメータは、例えば、ミュージック音量、マイク音量、エコーレベル、主音量、ＢＧＭ音量等といった、主に、利用客ごとに適用される設定事項である。一方、再起動時に初期化されない第２種パラメータとしての音質、音響に関するパラメータ（例えば、ミュージックトーン、マイクトーン等）や、ガイドメロディに関するパラメータ（例えば、難易度や音色）は、利用客には変更されないことを前提とした、カラオケ装置の使用環境に応じて継続的に適用される設定事項である。
【００１４】
あるいは、請求項５に記載のように、第１種パラメータを、カラオケ装置の音量に関するパラメータとし、第２種パラメータを、カラオケ装置のイルミネーションに関するパラメータとしてもよい。再起動時に初期化されない第２種パラメータとしてのイルミネーションに関するパラメータ（例えば、点灯色、点灯動作パターン等）は、利用客には変更されないことを前提とした、カラオケ装置の使用環境に応じて継続的に適用される設定事項である。
【００１５】
上記構成によれば、利用客ごとに適用される音量に関するパラメータは、再起動により容易に初期化できる。一方、利用客には変更されないことを前提とした、音質、音響、ガイドメロディ、又は、イルミネーションに関する継続的に使用されるパラメータについては、意図しない変更がなされた場合、再起動時に容易に把握できる。
【００１６】
ところで、カラオケ装置を再起動する動機としては、ある客による利用が終了したときに、その客に関する設定事項をリセットし、次の客の利用に備えるといった、運用上の手順が挙げられる。そこで、請求項６に記載のようになっているとよい。すなわち、再起動手段は、再起動の処理として、カラオケ装置におけるユーザのログインに関する情報を記憶したメモリ領域、又は、カラオケ曲の再生予約に関する情報を記憶したメモリ領域の少なくとも何れかを初期化する。そして、初期化手段は、再起動手段により再起動が行われたときに、第１記憶手段に記憶されている第１種パラメータを初期化する。このようにすることで、カラオケ装置を再起動することにより、前の客に関する設定事項をリセットすることができ、次の客の利用に備えることができる。
【００１７】
なお、請求項７に記載のように、再起動手段は、再起動としてソフトリブートを行うように構成することが考えられる。再起動手段が、カラオケ装置の主電源のオンオフを伴わないソフトリブートを行うことで、前の客による利用が終了して次の客の利用に備えるための再起動を速やかに行うことができる。
【００１８】
つぎに、請求項８に記載のカラオケ装置は、第１記憶手段に記憶されているパラメータを、カラオケ装置の使用者が設定するための設定手段を備えることを特徴とする。設定手段により、第１記憶手段に記憶されている各種パラメータを、カラオケ装置の使用者が任意に設定できるようになっている。そして、カラオケ装置が再起動したときに、初期化された第１種パラメータの他に、変更されている第２種パラメータがある場合には、その旨を報知することができる。
【図面の簡単な説明】
【００１９】
【図１】カラオケ装置１の概略構成を示すブロック図。
【図２】設定変更報知処理の手順を示すフローチャート。
【発明を実施するための形態】
【００２０】
以下、本発明の一実施形態を図面に基づいて説明する。なお、本発明は下記の実施形態に何ら限定されるものではなく様々な態様にて実施することが可能である。
［カラオケ装置１の構成の説明］
図１に示すように、カラオケ装置１は、カラオケ装置１全体の制御を司る制御部１４、及びこの制御部１４に接続された各部、すなわち、操作パネル１０、入力表示部１１、映像処理部１２、ハードディスクドライブ（ＨＤＤ）１３、パラメータ記憶部１５、音声処理部１６、通信インタフェース１７、イルミネーション１８等を備える。
【００２１】
操作パネル１０は、カラオケ装置１に対する各種操作を行うための入力装置であり、カラオケ装置１本体の外装パネルに配置されたスイッチ類により構成される。イルミネーション１８は、操作パネル１０に設けられたボリュームスイッチ等の周りに配置された演出用の電飾であり、制御部１４からの制御によって、シーンに応じた点滅動作を行う。
【００２２】
入力表示部１１は、カラオケ装置１の本体に組込まれた表示パネル１１ａと、表示パネル１１ａの表示面上に一体に設置されたタッチパネル１１ｂとからなる表示と入力との２つの機能を兼ね備えた電子装置である。表示パネル１１ａは、例えば、液晶パネル（ＬＣＤ）等で構成され、映像処理部１２から入力される画像情報によってカラオケ演奏中の背景画像や、演奏待ち期間における情報表示画像、あるいはそれらの画像に重畳して表示されるアイコン画像等が表示される。タッチパネル１１ｂは、表示パネル１１ａの表示面の形状に合わせて薄板状に形成された透過性を有する樹脂材料により構成されている。タッチパネル１１ｂは、操作者によって指先やペン先等で触れられるか至近距離まで接近される（以下、これらの動作を「タッチ」とも称する。）ことで、タッチされた画面位置の情報を感知して制御部１４に入力する。制御部１４では、タッチパネル１１ｂから入力された画面位置の情報が、表示パネル１１ａに表示しているアイコンの画像位置に該当する場合、そのアイコンに割当てられている機能が実行される。
【００２３】
映像処理部１２は、画像情報を映像化するグラフィックエンジンや圧縮形式の映像データを再生するデコーダからなる映像処理装置であり、カラオケ装置１本体に組込まれた表示パネル１１ａと、ビデオ出力端子に接続される外付けのメインモニタ２０の２画面分の表示画像を並行して処理する機能を備える。映像処理部１２によって映像化された画像情報等は、表示パネル１１ａやメインモニタ２０でそれぞれ出力される。メインモニタ２０と表示パネル１１ａには、カラオケ装置１が実行中のサービス（カラオケ演奏や演奏待ち期間における情報提示）に応じて互いにリンクした画像が表示されたり、個別の機能操作画面が表示パネル１１ａのみに表示されたりする。
【００２４】
ＨＤＤ１３は、カラオケの楽曲データを多数収録したカラオケデータベースや、カラオケ装置１の動作を制御するシステムプログラムやアプリケーションプログラム、各種の情報提示に用いる動画や静止画等の画像データや楽曲データ等の各種データを記憶する記憶装置である。パラメータ記憶部１５は、カラオケ装置１の動作に関する各種設定項目のパラメータを記憶するための記憶装置である。パラメータ記憶部１５は、書換え可能な一時記憶装置として用いられるＲＡＭ、及び、書換え可能な不揮発性の半導体メモリ（フラッシュＲＯＭ）からなる。なお、パラメータ記憶部１５は、ＨＤＤ１３の所定の記憶領域に設定されていてもよい。また、パラメータ記憶部１５は、ＲＡＭ又は半導体メモリの何れか１つにより構成されていてもよい。
【００２５】
パラメータ記憶部１５のＲＡＭに記憶されるパラメータ（本発明の第１種パラメータに相当）としては、カラオケ装置１から出力されるミュージック音量、マイク音量、エコーレベル、主音量、及びＢＧＭ音量の現在値がある。これらの音量に関する第１種パラメータは、カラオケ装置１の利用客が個々の好みに合わせて自由に設定できる設定事項である。そのため、ある客によるカラオケ装置１の利用が終了したときに、次の客の利用に備えて、店員がカラオケ装置１を再起動（ソフトリブート）するための操作を行うことで、ＲＡＭに記憶されている音量に関する第１パラメータの現在値を初期値にリセットできるようになっている。
【００２６】
一方、パラメータ記憶部１５のフラッシュＲＯＭに記憶されるパラメータ（本発明の第２種パラメータに相当）としては、ミュージックトーンやマイクトーン等の音響に関するパラメータや、ガイドメロディの難易度や音色に関するパラメータがある。さらに、第２種パラメータとしては、操作パネル１０に設けられたイルミネーション１８の点灯色や点灯動作パターンに関するパラメータがある。なお、イルミネーションに関するパラメータには、曲の演奏の合間に点灯するパターンに関する曲間イルミネーション、及び、曲の演奏中に点灯するパターンに関する演奏イルミネーションに関するパラメータがある。これらの音響、ガイドメロディ、イルミネーションに関する第２種パラメータは、利用客には変更されないことを前提とした、カラオケ装置１の使用環境に応じて継続的に適用される設定事項である。そのため、フラッシュＲＯＭに記憶された第２種パラメータは、ソフトリブートやカラオケ装置１の主電源オフでも消去されないようになっている。
【００２７】
なお、これらの第２種パラメータについては、カラオケ装置１を設置する店舗ごとに独自の値を設定することができるようになっている。第２種パラメータの設定は、設定を行う権限を有する管理者が、入力表示部１１や操作パネル１０を介して行う特別な操作によって行われる。そのため、パラメータ記憶部１５の第２種パラメータについては、原則、一般の利用客が設定値を変更できないようになっている。ただし、パラメータを変更する操作方法が一般の利用客に漏洩してしまえば、その限りではない。
【００２８】
入力表示部１１や操作パネル１０を介して設定された第２種パラメータの内容は、パラメータ記憶部１５に記憶されている各第２種パラメータの設定値に反映される。また、店舗ごとに独自に設定された第２種パラメータの基準値である基準設定値が、カラオケ装置１のＨＤＤ１３、又は、通信ネットワークを介してセンタサーバ３０のデータベースに保存されている。
【００２９】
また、パラメータ記憶部１５のフラッシュＲＯＭには、ＲＡＭに記憶される音量に関する第１種パラメータ（現在値）の初期値となる値が記憶されている。カラオケ装置１が再起動したときには、フラッシュＲＯＭに記憶されている初期値に基づいて、ＲＡＭの第１パラメータがリセットされる。
【００３０】
音声処理部１６は、楽曲データに基づく演奏再生を行うと共に、演奏再生音とオーディオ入力端子に接続されるマイクロフォン（図示省略）から入力される歌唱者の歌声とをミキシングする等して適宜音声処理を施す。そして、音声処理部１６は、音声処理された音声信号をオーディオ出力端子から出力する。また、カラオケ演奏以外の一般音源として、圧縮形式の音声データを再生してオーディオ出力端子から出力するデコーダとしての機能も有する。オーディオ出力端子から出力された音声信号は、オーディオ出力端子に接続されたアンプ（図示省略）で増幅された後にスピーカ（図示省略）から放音される。通信インタフェース１７は、ネットワーク接続端子に接続された通信ネットワークを介して外部のセンタサーバ３０等とデータ通信を行うための通信装置である。
【００３１】
制御部１４は、ＣＰＵ、ＲＯＭ、ＲＡＭ（メインメモリ）、Ｉ／Ｏ等で構成された情報処理デバイスであり、ＲＯＭ、ＨＤＤ１３、パラメータ記憶部１５等から読込んだプログラムやデータに基づき、カラオケサービスに関する各種処理を実行する。一例として、制御部１４は、所定のログイン手続によりカラオケ装置１にログインしたユーザの識別情報を、メインメモリの所定の記憶領域に記憶する。そして、制御部１４は、メインメモリに記憶されたログインユーザからリクエストされたカラオケ楽曲の識別情報を、予約リストとしてメインメモリの所定の記憶領域に記憶する。そして、制御部１４は、メインメモリに記憶されている予約リストにおけるカラオケ楽曲の識別情報に従ってカラオケ楽曲の伴奏音楽を演奏する。なお、カラオケ装置１にログインしていないユーザであっても、カラオケ楽曲をリクエストしてもよい。この場合、カラオケ楽曲の識別情報が、予約リストとしてメインメモリの所定の記憶領域に記憶される。
【００３２】
また、制御部１４は、パラメータ記憶部１５に記憶されている音量、音響、イルミネーション等に関する各種パラメータの設定値に従って、各種処理を実行する。また、制御部１４は、映像処理部１２を通じて、演奏対象の楽曲に対応する背景画像や歌詞テロップをメインモニタ２０及び表示パネル１１ａに表示する。また、カラオケ楽曲の演奏を行っていない演奏待ち期間には、予め指定された動作モードに従って、メインモニタ２０及び表示パネル１１ａを用いた各種画像表示や、音声出力による情報提示を行う。なお、カラオケ装置１のその他の機能や構成については公知技術に従っているのでここでは詳細な説明を省略する。
【００３３】
センタサーバ３０は、通信ネットワークを介してカラオケ装置１との間で情報通信を行う外部のサーバ装置である。センタサーバ３０は、カラオケ装置１の第２種パラメータに関する基準設定値を、カラオケ装置１の識別情報あるいはカラオケ装置１が設置される店舗の識別情報と対応付けて記憶するデータベースを備えている。
【００３４】
［設定変更報知処理の説明］
カラオケ装置１の制御部１４が実行する設定変更報知処理の手順について、図２のフローチャートを参照しながら説明する。この処理は、カラオケ装置１の主電源がオンのときに実行される処理である。
【００３５】
Ｓ１００では、制御部１４は、所定のリセット操作が入力されたか否かを判断する。ここでいうリセット操作とは、制御部１４にソフトリブートを実行させて、カラオケ装置１の動作に関する所定のパラメータをリセットさせるためのトリガとなる操作である。なお、ソフトリブートでは、カラオケ装置１のＣＰＵやメモリ等の各部構成への電源供給がオフされないまま、制御部１４により、動作中の所定のソフトウェアが一旦終了され、再度ソフトウェアが起動される。一方、カラオケ装置１の主電源をオフにするシャットダウンでは、制御部１４により動作中のソフトウェアが終了され、カラオケ装置１の各部構成への電源供給がオフにされる。リセット操作の手順としては、入力表示部１１に特定のアイコンを表示させて、その表示された特定のアイコンに対して、あるパターンの操作（例えば、一定時間以上長押し）を行うといった操作が一例に挙げられる。リセット操作が入力された場合（Ｓ１００：ＹＥＳ）、制御部１４はＳ１０２に進む。一方、リセット操作が入力されていない場合（Ｓ１００：ＮＯ）、制御部１４はＳ１００に戻る。
【００３６】
リセット操作が入力された場合に進むＳ１０２では、制御部１４は、カラオケ装置１の主電源のオンオフを伴わないソフトリブートを行い、メインメモリにおける、ユーザのログインに関する情報（例えば、ログインユーザの識別情報）が記憶された記憶領域や、ユーザからのリクエスト曲の予約に関する情報（例えば、カラオケ楽曲の識別情報を含む予約リスト）が記憶された記憶領域をクリアする。次のＳ１０４では、制御部１４は、パラメータ記憶部１５のＲＡＭに記憶されている第１種パラメータの現在値を、パラメータ記憶部１５のフラッシュＲＯＭに記憶されている第１種パラメータの初期値に基づいてリセット（初期化）する。
【００３７】
次のＳ１０６では、制御部１４は、パラメータ記憶部１５のフラッシュＲＯＭに記憶されている第２種パラメータの設定値に変更があったか否かを判定する。ここでは、パラメータ記憶部１５における第２種パラメータの現在の設定値と、ＨＤＤ１３に保存されている基準設定値、又は、通信ネットワークを介してセンタサーバ３０から取得した自身のカラオケ装置１に対応する基準設定値とを比較する。比較の結果、第２種パラメータの現在の設定値と基準設定値とが相違する場合、第２種パラメータの変更があったと判断する。第２種パラメータの設定値に変更があった場合（Ｓ１０６：ＹＥＳ）、制御部１４はＳ１０８に進む。一方、第２種パラメータの設定値に変更がなかった場合（Ｓ１０６：ＮＯ）、制御部１４はＳ１００に戻る。
【００３８】
第２種パラメータの設定値に変更があった場合に進むＳ１０８では、制御部１４は、第２種パラメータに変更があった旨を報知する。具体的には、制御部１４は、メインモニタ２０や表示パネル１１ａに、変更があった第２種パラメータの設定項目を表示する。また、第２種パラメータに変更があった旨が、音声処理部１６により音声を用いて出力される。また、制御部１４の指示により、イルミネーション１８に所定の点灯パターンを点灯させることで、第２種パラメータに変更があった旨が報知されてもよい。
【００３９】
次のＳ１１０では、制御部１４は、変更された第２種パラメータの設定値を元に戻すための特定の操作が入力されたか否かを判定する。この特定の操作の手順としては、入力表示部１１に特定のアイコンを表示させて、その表示された特定のアイコンに対して、あるパターンの操作（例えば、一定時間以上長押し）を行うといった操作が一例に挙げられる。特定の操作が入力された場合（Ｓ１１０：ＹＥＳ）、制御部１４はＳ１１２に進む。
【００４０】
Ｓ１１２では、制御部１４は、パラメータ記憶部１５における変更された第２種パラメータを、ＨＤＤ１３に保存されている基準設定値、又は、通信ネットワークを介してセンタサーバ３０から取得した自身のカラオケ装置１に対応する基準設定値で示される値に戻す。第２種パラメータの設定値を元に戻した後、制御部１４はＳ１００に戻る。
【００４１】
一方、Ｓ１１０で特定の操作が一定時間入力されなかった場合（Ｓ１１０：ＮＯ）、制御部１４はＳ１００に戻る。この場合、第２種パラメータの設定値の変更がそのまま反映され、変更された第２種パラメータの設定値がカラオケ装置１の動作に用いられる。
【００４２】
［効果］
上記実施形態のカラオケ装置１によれば、以下の効果を奏する。
カラオケ装置１のソフトリブート（再起動）に伴い第１種パラメータが初期化されたタイミングで、ソフトリブートで初期化されない第２種パラメータに何らかの変更があった場合、その旨をカラオケ装置１の使用者に対して報知できる。これにより、管理者の意図ではない第２種パラメータの不正な変更がなされていても、ソフトリブート時に管理者がすぐに把握することができる。そのため、カラオケ装置１において、不本意な設定値が継続して用いられることを防止できる。
【００４３】
また、ソフトリブートのときに第２種パラメータの変更が発覚した場合、管理者から変更の許否の意思を受付けた上で、変更された第２種パラメータを元の設定値に戻すことができる。このような構成により、たとえ第２種パラメータにおいて不正な変更がなされたとしても、第２種パラメータを元の設定値に簡単に戻すことができるので便利である。
【００４４】
［特許請求の範囲に記載の構成との対応］
実施形態のカラオケ装置１の構成と、特許請求の範囲に記載の構成との対応は次のとおりである。パラメータ記憶部１５が、第１記憶手段に相当する。ＨＤＤ１３が、第２記憶手段に相当する。制御部１４が、再起動手段（Ｓ１０２）、初期化手段（Ｓ１０４）、判定手段（Ｓ１０６）、報知手段（Ｓ１０８）、再設定手段（Ｓ１１２）に相当する。制御部１４、操作パネル１０、及び、入力表示部１１が、設定手段に相当する。
【符号の説明】
【００４５】
１…カラオケ装置、１０…操作パネル、１１…入力表示部、１１ａ…表示パネル、１１ｂ…タッチパネル、１２…映像処理部、１３…ハードディスクドライブ（ＨＤＤ）、１４…制御部、１５…パラメータ記憶部、１６…音声処理部、１７…通信インタフェース、１８…イルミネーション、２０…メインモニタ、３０…センタサーバ。
【図１】
0005522218.tif 000002
【図２】
0005522218.tif 000003